(57)【要約】【課題】防煙用シート部材に皺が寄らず、交換も可能とする。【解決手段】周囲４辺の縦・横フレームに防煙用シート部材15を張設して形成される防煙垂壁パネルである。防煙用シート部材15の左右両側に可動枠体13を接合し、これらの可動枠体13をそれぞれの縦フレーム11に螺着する。可動枠体13を両側の縦フレーム11に螺子によって締め付けることにより防煙用シート部材15が左右横方向に展張される。上下方向には張力が付加されていない。縦フレーム11が横断面略コ字形状を有し、可動枠体13が角型管体から成り、可動枠体13が縦フレーム11の内部で横方向に移動可能に収納される。横フレーム12も横断面略コ字形状を有し、角型管体から成る押え部材14を前記横フレーム12に内設し固定する。縦・横フレーム11, 12と防煙用シート部材15との間にシーリング材を充填する。【選択図】図１
2013226226.tif 000002
【特許請求の範囲】
【請求項１】
上下の横フレーム(12, 12)と左右の縦フレーム(11, 11)から成る周囲４辺のフレームに防煙用シート部材(15)を張設して形成される防煙垂壁パネルにおいて、
前記防煙用シート部材(15)の左右両側のそれぞれの側縁部に可動枠体(13)を接合し、
これら両側の可動枠体(13, 13)をそれぞれの縦フレーム(11)に螺着することができ、
これら両側の可動枠体(13, 13)を両側の縦フレーム(11)に螺子(13s, 13s, …)によって締め付けることにより防煙用シート部材(15)が左右横方向に展張され、上下方向には張力が付加されないことを特徴とする防煙垂壁パネル。
【請求項２】
上下の横フレーム(12, 12)と防煙シート部材(15)、及び、左右の縦フレーム(11, 11)と防煙シート部材(15)との間に変性シリコン等のシーリング材を充填し、４辺のフレーム(11, 11, 12, 12)と防煙シート部材(15)との気密性を保持したことを特徴とする請求項１に記載の防煙垂壁パネル。
【請求項３】
両側の縦フレーム(11, 11)が横断面略コ字形状の型材から形成され、可動枠体(13)が角型管体又は角型材から形成され、この可動枠体(13)が前記縦フレーム(11)の内部で横方向に移動可能に収納されることを特徴とする請求項１又は２に記載の防煙垂壁パネル。
【請求項４】
上下の横フレーム(12, 12)が横断面略コ字形状の型材から形成され、角型管体又は角型材から成る押え部材(14)を前記横フレーム(12, 12)のそれぞれに内設し固定したことを特徴とする請求項１乃至３の何れか１項に記載の防煙垂壁パネル。
【請求項５】
前記可動枠体(13, 13)をそれぞれの縦フレーム(11)に螺着して防煙シート部材(15)を縦フレーム(11, 11)に張設した後、それぞれの可動枠体(13)を縦フレーム(11)の正面側又背面側に更に螺着したことを特徴とする請求項３又は４に記載の防煙垂壁パネル。
【請求項６】
前記押え部材(14)を、可動枠体(13)と同じ側の横フレーム(12)の正面側又は背面側に固定したことを特徴とする請求項５に記載の防煙垂壁パネル。
【請求項７】
上下の横フレーム(12, 12)と左右の縦フレーム(11, 11)から成る周囲４辺のフレームに防煙用シート部材(15)を張設して防煙垂壁パネルを製造する方法において、
横及び縦フレーム(12, 12, 11, 11)により周囲４辺のフレームを作製し、
防煙用シート部材(15)の左右両側のそれぞれに接合された可動枠体(13)を前記縦フレーム(11)に螺子(13s, 13s, …)により螺着し、
これらの螺子(13s, 13s, …)を締め付けることにより、両側の可動枠体(13, 13)が左右横方向外側に引き寄せられることにより、同時に防煙用シート部材(15)が左右横方向に展張され、上下方向には張力が付加されないことを特徴とする防煙垂壁パネルの製造方法。  
【発明の詳細な説明】
【技術分野】
【０００１】
本発明は、建物の天井部に架設される防煙用の垂壁に関するものであり、とりわけ矩形形状の４辺のフレームを有し、透明又は半透明の合成樹脂製シート状体から成る防煙用シート部材をこれら４辺のフレームに張設した防煙垂壁パネルの改良とその製造方法に関するものである。
【背景技術】
【０００２】
近年、地震や火災等の災害が多発する中、消防法では防煙垂壁が義務づけられている。
この防煙垂壁は、従来より板ガラスにより構築されていたが、地震時にはそれ自身の重量のために破損、落下が生じ、人的被害や物損被害が生じている現状である。
そこで、現在では、この板ガラスに代わり、ガラス繊維を含む強化樹脂シートが創案され、このガラス繊維強化樹脂シートを天井部から所定長さ下方に垂れ幕のように張設した防煙垂壁が開発され、普及している。
【０００３】
このような防煙垂壁としては、上記のようなテンションを付加して張設するタイプの他に、本発明に係るパネルを利用したものがあり、即ち、その周囲の４辺にフレームを有し、この４辺のフレームに防煙用シート部材を張設した防煙垂壁パネルを用いたものであり、この防煙垂壁パネルの複数枚を横一列に列設することにより天井部の所定部位に防煙垂壁を形成することができるものである。
【０００４】
下記特許文献１に記載の「防煙垂れ壁用パネル、その製造方法及び防煙垂れ壁」においては、透明で、見栄えの良い防煙垂れ壁を施工性良く形成することができ、たとえ落下しても、大きく飛び散って重大事故を引き起こす恐れの無い防煙垂れ壁用パネルを提供することを課題とするものである。
【０００５】
その構成は、枠体内の一対の長辺枠材を内側に湾曲させた状態でガラス繊維シートを取り付けることで、ガラス繊維シートを長辺枠材の復元力によって張り、しわのない見栄えの良いパネルを形成し、防煙垂れ壁にこのパネルを用いることで施工や取扱いを容易とし且つ落下した際の危険を少なくするものである。
また、ガラス繊維シートの構成材料の特定を行い、不燃性を与えると共に、ガラス繊維織物中のガラス繊維を構成するガラス組成物と樹脂被覆層との屈折率の差を限定することにより、透明性を付与し見栄えを良くしたものである。
【先行技術文献】
【特許文献】
【０００６】
【特許文献１】特開２００７−１１７４７１号公報
【発明の概要】
【発明が解決しようとする課題】
【０００７】
本発明においては、パネル式防煙垂壁における１枚の防煙垂壁パネルの改良に関するものであって、防煙用シート部材が周囲の４辺のフレームによって張設される訳であるが、その際にこの防煙用シート部材に皺が寄らないように張設することをその第一の課題としている。
従来の防煙垂壁パネルでは、この防煙用シート部材をピンと張り且つ皺が寄らないようにするために、上記特許文献にある通り、上下の横フレームを内側に湾曲させた状態でシート部材を張設したり、或いは、上下の横フレームの間でその上下方向にに張力を付加するテンションバーを介在させて、上下の横フレーム間で上下方向に張力を付加して、防煙用シート部材に張りを持たせ、皺の発生を防止していた。
【０００８】
しかしながら、従来の方法では、このような防煙用シート部材に発生する皺を防止することができなかったのである。
その原因は明確ではないが、左右の縦フレームと上下の横フレームとの４辺でそれぞれ外側に張力を付加していたために、つまり４方向での張力の付加であるために、その張力付加のバランスが難しく、皺が発生していたものと考えられるのである。
また、防煙垂壁パネルの製作の容易化もその課題となり、防煙用シート部材の汚れや傷が付いた場合には、その防煙シート部材のみの交換をも容易にできるようにすることも本発明の課題である。
【課題を解決するための手段】
【０００９】
上記課題を解決するために、本発明の第１のものは、上下の横フレームと左右の縦フレームから成る周囲４辺のフレームに防煙用シート部材を張設して形成される防煙垂壁パネルにおいて、前記防煙用シート部材の左右両側のそれぞれの側縁部に可動枠体を接合し、これら両側の可動枠体をそれぞれの縦フレームに螺着することができ、これら両側の可動枠体を両側の縦フレームに螺子によって締め付けることにより防煙用シート部材が左右横方向に展張され、上下方向には張力が付加されないことを特徴とする防煙垂壁パネルである。
【００１０】
本発明の第２のものは、上記第１の発明において、上下の横フレームと防煙シート部材、及び、左右の縦フレームと防煙シート部材との間に変性シリコン等のシーリング材を充填し、４辺のフレームと防煙シート部材との気密性を保持したことを特徴とする防煙垂壁パネルである。
【００１１】
本発明の第３のものは、上記第１又は第２の発明において、両側の縦フレームが横断面略コ字形状の型材から形成され、可動枠体が角型管体又は角型材から形成され、この可動枠体が前記縦フレームの内部で横方向に移動可能に収納されることを特徴とする防煙垂壁パネルである。
【００１２】
本発明の第４のものは、上記第１乃至第３の発明のそれぞれにおいて、上下の横フレームが横断面略コ字形状の型材から形成され、角型管体又は角型材から成る押え部材を前記横フレームのそれぞれに内設し固定したことを特徴とする防煙垂壁パネルである。
【００１３】
本発明の第５のものは、上記第３又は第４の発明において、前記可動枠体をそれぞれの縦フレームに螺着して防煙シート部材を縦フレームに張設した後、それぞれの可動枠体を縦フレームの正面側又背面側に更に螺着したことを特徴とする防煙垂壁パネルである。
【００１４】
本発明の第６のものは、上記第５の発明において、前記押え部材を、可動枠体と同じ側の横フレームの正面側又は背面側に固定したことを特徴とする防煙垂壁パネルである。
【００１５】
本発明の第７のものは、上下の横フレームと左右の縦フレームから成る周囲４辺のフレームに防煙用シート部材を張設して防煙垂壁パネルを製造する方法において、横及び縦フレームにより周囲４辺のフレームを作製し、防煙用シート部材の左右両側のそれぞれに接合された可動枠体を前記縦フレームに螺子により螺着し、これらの螺子を締め付けることにより、両側の可動枠体が左右横方向外側に引き寄せられることにより、同時に防煙用シート部材が左右横方向に展張され、上下方向には張力が付加されないことを特徴とする防煙垂壁パネルの製造方法である。
【発明の効果】
【００１６】
本発明の第１のものにおいては、上下の横フレームと左右の縦フレームから成る周囲４辺のフレームに防煙用シート部材を張設して形成される防煙垂壁パネルであって、防煙用シート部材の左右両側のそれぞれの側縁部に可動枠体を接合し、これら両側の可動枠体をそれぞれの縦フレームに螺着し、且つ、これら両側の可動枠体を両側の縦フレームに螺子によって締め付けることにより防煙用シート部材が左右横方向に展張され、上下方向には張力が付加されないことを特徴とするものである。
【００１７】
従って、従来のパネルと異なり、周囲４辺のフレームによる縦横４方向外側への張力が付加されることはなく、単に左右の横方向にのみテンションが付加されるのである。
しかも、その横方向へのテンション付加に際し、両側端の可動枠体を利用して横方向に展張するために、防煙用シート部材は、上下に広げられたままの状態を維持して左右方向に一様に展張されるために、皺の発生を極力抑えることができたのである。
本願発明者は、これまで長い間、多くの試行錯誤と実験を重ね、この横方向（サイド）展張方式を発見し、その極めて良好な結果を得て、本願発明を完成したものである。
【００１８】
本発明の第２のものにおいては、上下の横フレームと防煙シート部材、及び左右の縦フレームと防煙シート部材との間に変性シリコン等のシーリング材を充填し、４辺のフレームと防煙シート部材との気密性を保持したものであって、従来においても、この気密性の保持は行われていたのであるが、これを明確にしたものである。
【００１９】
本発明の第３のものにおいては、両側の縦フレームをより限定したものであって、即ち、両側の縦フレームが横断面略コ字形状の型材から形成され、可動枠体が角型管体又は角型材から形成され、この可動枠体が前記縦フレームの内部で横方向に移動可能に収納されるようにしたものである。
これにより、より具体的な縦フレームと可動枠体の構造を特定し、組み付けの容易化、更には、防煙用シート部材が汚損した場合等に容易に交換することも可能となるのである。
【００２０】
本発明の第４のものにおいては、上下の横フレームの限定と、押え部材の付加を特定したものである。
この押え部材と前記可動枠体との厚みを略同一とすることにより、張設された防煙用シート部材との隙間を極小にすることができ、シーリング材の充填も容易なものとなる。
【００２１】
本発明の第５のものにおいては、可動枠体をそれぞれの縦フレームに螺着して防煙シート部材を縦フレームに張設した後、更に、それぞれの可動枠体をそれぞれの縦フレームの正面側又背面側に螺着して固定したものである。
これにより、可動部材が螺着された正面側又は背面側に密着し、隙間が無くなり、この間の気密性を保持させることができ、反対側の隙間のみシーリング材を充填すればよく、製作の容易化に寄与することとなる。
【００２２】
本発明の第６のものにおいては、押え部材を可動枠体と同じ側の横フレームの正面側又は背面側に固定したものであり、上記第５の発明において可動枠体を縦フレームに固定した同じ側の横フレームの側に押え部材を固定したものである。
これにより、縦フレーム及び横フレームの同じ側に可動枠体と押え部材が密着した状態で固定され、防煙用シート部材との隙間へのシーリング材の充填が容易となり、製作の容易化に繋がることとなる。
【００２３】
本発明の第７のものにおいては、前記第１の発明と同様の技術思想ではあるが、その発明の要旨を製造方法の発明として特定したものである。
その効果は、上記第１の発明と同じであり、防煙用シート部材の皺の発生を予防し、この防煙用シート部材が汚損した際には、この防煙用シート部材又はこの防煙用シート部材と可動枠体を容易に交換することができることとなるのである。
【図面の簡単な説明】
【００２４】
【図１】本発明の防煙垂壁パネルに係る一実施形態を示しており、その中間部を省略し、周囲４辺のフレームの手前側側面部を切り欠いた状態の正面説明図である。
【図２】図１のＡ−Ａ線断面説明図（中間部省略）であり、下方の横フレームの図示は省略した状態のものである。
【図３】図１のＢ−Ｂ線断面説明図（中間部省略）であり、右方の縦フレームの図示は省略した状態のものである。
【発明を実施するための形態】
【００２５】
以下、添付の図面と共に本発明の実施形態について説明する。
図１は、本発明の防煙垂壁パネルに係る一実施形態を示しており、その中間部を省略し、周囲４辺のフレームの手前側側面部を切り欠いた状態の正面説明図である。  
本発明に係る防煙垂壁パネルは、左右の縦フレーム１１、１１と、上下の横フレーム１２、１２の４つのフレームから成る矩形形状のものである。勿論、正方形のものであってもよい。
【００２６】
これら縦フレーム１１、１１及び横フレーム１２、１２は、金属製の断面コ字形状の型材を使用している。
縦フレーム１１と横フレーム１２の端部は、金属製Ｌ型アングル材からなるフレーム固定用金具１６によってそれぞれ４つの角部で相互に固定されている。
【００２７】
横断面コ字形状の縦フレーム１１の内側には、可動枠体１３が配備される。
この可動枠体１３は、金属製角型管体から成り、その一側面、図では背面側の一側面に防煙用シート部材１５が接合されている。この可動枠体は、管体で無く、中実の角型材を使用してもよい。
即ち、この防煙用シート部材１５の左右両端の側縁部は、両側の可動枠体１３、１３の側面に接合され、接着されているのである。
【００２８】
防煙用シート部材１５としては、例えば現在流通している透明のガラス繊維強化樹脂シートを利用することができるが、その他各種の不燃性シートを利用することもできる。
この防煙用シート部材１５は、縦フレーム１１、１１に両面接着テープ或いは接着剤により接着することができ、更にその接合部分にフラットバーを螺着して固定することもできる。
【００２９】
そして、本発明においては、この防煙用シート部材１５が接合された両端部の可動枠体１３が縦フレーム１１のそれぞれの端面部に螺子１３ｓにより螺着されるのである。
従って、これらの螺子１３ｓを締め付けると、可動枠体１３は、それぞれ左右外側方向に移動し、それ故、可動枠体１３に接合されている防煙用シート部材１５も左右外側方向に展張されることとなるのである。
【００３０】
ここで本発明においては、防煙用シート部材１５の上縁部及び下縁部は横フレーム１２、１２に接着されていないことが特徴となっている。
これにより本発明においては、従来のような周囲４辺のフレームによる外側方向の４方向へのテンション付加が行われず、左右の横方向のみの展張となり、しかも両側の可動枠体１３によるサイド展張方式を採用することにより、皺の発生が極力防止されることとなるのである。
【００３１】
以上のようにして、防煙シート部材１５が接合された両側の可動枠体１３が左右横方向の反対向きに展張されて、防煙用シート部材１５の張設が完了すると、図１には表れていないが、縦フレーム１１の正面側の側面部に可動枠体１３が更に螺着される（後に説明する。）のである。
これにより、断面コ字形状の縦フレーム１１の正面側の側面部に可動枠体１３が密着することとなり、正面側の気密性が保持されのである。
【００３２】
両側の縦フレーム１１、１１に可動枠体１３、１３が螺着された後、今度は上下の横フレーム１２、１２の内部に押え部材１４を設備する。
詳述すると、横断面コ字形状の金属製型材からなる横フレーム１２の内部に、金属製角型管体からなる押え部材１４を収納し、横フレーム１２の正面側の側面部に螺子により螺着するのである。押え部材１４は、管体でなく、中実の角型材を利用してもよい。
【００３３】
そして、この押え部材１４の厚みを可動枠体１３の厚みと略同一又は少し大きくすることにより、防煙用シート部材１５との接触がより密となるのである。
最後に縦フレーム１１及び横フレーム１２と防煙用シート部材１５との隙間に変性シリコンをシーリング材として充填することにより本発明に係る防煙垂壁パネルが完成する。
【００３４】
図２は、上記実施形態に係る防煙垂壁パネルを示した図１のＡ−Ａ線断面説明図（中間部省略）であり、下方の横フレームの図示は省略した状態のものである。
左右に位置する縦フレーム１１は、この図からコ字形状の断面形状を見て取ることができ、この断面コ字形状の縦フレーム１１の内部に可動枠体１３が配設される。
【００３５】
この可動枠体１３は、両側のそれぞれで、螺子１３ｓにより縦フレーム１１の端面部１１ｅで螺着されている。
従って、これら螺子１３ｓ、１３ｓをそれぞれ締め付けることにより、矢印Ｄ、Ｄの方向に防煙用シート部材１５が展張されることとなるのである。
【００３６】
防煙シート部材１５の左右横方向への展張が完了すると、今度は縦フレーム１１の正面側の側面部１１ｆに、螺子１１ｓによって可動枠体１３が螺着される。
これにより可動枠体１３の正面側の側面部が縦フレーム１１の正面側の側面部１１ｆに密着し固定されるのである。
従って、変性シリコンは、縦フレーム１１の背面側の側面部との接合部１１ｒの部分に充填し、気密性を保持させることができる。
【００３７】
図３は、上記実施形態に係る防煙垂壁パネルを示した図１のＢ−Ｂ線断面説明図（中間部省略）であり、右方の縦フレームの図示は省略した状態のものである。
この図から、上下に位置する横フレーム１２が、コ字形状の断面形状を有していることを見て取ることができ、この断面コ字形状の横フレーム１２の内部に押え部材１４が配設される。
【００３８】
前記したとおり、縦フレーム１１内に可動枠体を螺着して防煙シート部材を張設完了した後に、この押え部材１４を横フレーム１２の正面側の側面部１２ｆに螺着するのである。
この押え部材１４は、金属製角型管体を使用し、その厚みを上記可動枠体とほぼ同じとしている。
【００３９】
従って、この押え部材１４を螺子１４ｓで螺着すると、防煙用シート部材１５と密に接触することとなる。
その後、防煙用シート部材１５と横フレーム１２の背面側の側面部との間隙を変性シリコンにより充填して気密性を保持させるのである。
勿論、防煙用シート部材１５と押え部材１４との接合部に変性シリコンを塗布することも自由である。
【００４０】
以上、本発明に係る防煙垂壁パネルの一実施形態について説明したが、以下その製造方法について説明する。
先ず、断面コ字形状の横フレーム２本と縦フレーム２本を、Ｌ型アングル材からなるフレーム固定用金具を用いて四角に組み付け螺子により固定する。
防煙用シート部材を適宜長さに裁断し、その左右両側縁部に可動枠体を接着し固定する。
【００４１】
次に、これら可動枠体を縦フレームの内部に収納し、螺子により螺着する。この際には縦フレームの端面部に螺着することになる。
これらの螺子を締め付けると、可動枠体は、左右横方向外側にそれぞれ反対方向に、つまり離間する方向に移動するため、防煙用シート部材が横方向に展張されるのである。
【００４２】
可動枠体を縦フレームに螺着して防煙用シート部材の張設が完了すると、この可動枠体を縦フレームの例えば正面側（又は背面側）の側面部に更に螺着する。
これにより、可動枠体と縦フレームの正面側の側面部との機密接合が可能となる。
これを両側の縦フレームで行う。
【００４３】
次に、断面コ字形状の横フレーム内に押え部材をやはり横フレームの例えば正面側（又は背面側）の側面部に螺着する。
最後に、縦フレームと防煙用シート部材、そして、横フレームと防煙用シート部材との間に変性シリコン等のシーリング材を充填又は塗布して気密性を保持させる。
以上により防煙垂壁パネルが完成する。
【００４４】
既に述べたとおり、本発明に係る防煙垂壁パネルは、その複数枚を横一列に列設して天井及び壁との間で垂下するように設けられるものである。
より詳しくは、本発明に係る防煙垂壁パネルは、天井部に配設される天井部レール状部材と、その両端部の壁面又は柱面の鉛直方向に配設される端部レール状部材と、下端に配設される下端レール状部材によって囲繞されて、その複数枚の防煙垂壁パネルが横一列に配列されて固定されるものである。
【００４５】
このように形成されたパネル式防煙垂壁においては、その一部のパネルが汚損した際には、そのパネルのみを交換することができるものである。
そして、本発明においては、そのパネルの皺の発生を防止し、またその製造の容易化と共に、１つのパネルにおいて、防煙用シート部材が汚損した際には、その防煙用シート部材のみ、又は防煙用シート部材と可動枠体のみを交換して新しいものとすることができるのであり、省エネ、省資源に寄与するものとなる。
【００４６】
以上、本発明の実施形態について説明したが、以下の通り各種設計変更することができるものである。
先ず、上記実施形態においては、横フレーム及び縦フレーム共に、断面コ字形状の型材を利用したが、これらのフレームとしては、断面Ｌ字形状のアングル材を利用することも可能である。
【００４７】
アングル材を使用する場合には、各フレームの一方の側の美観を考慮して、フラットバーからなる被覆部材又は化粧バーを被覆し固定することが好ましい。
また、上記実施形態では、縦・横フレーム、可動枠体及び押え部材共に金属製のものとして記載したが、これらはアルミニウム製或いはスチール製の何れのものをも使用することができる。
【００４８】
更には、これらの部材は、その強度が満たされるものであれば、金属製でなく合成樹脂製のものを利用することも可能である。
可動枠体及び押え部材は、角型管体を利用したが、これらの部材も横断面コ字形状の型材を使用することも可能であり、管体でなく中実の角型材を使用することもできる。
【００４９】
防煙用シート部材の材質も自由であるが、不燃性のもので、透明又は半透明のものが望ましい。
尚、本発明においては、パネルの防煙用シート部材がサイド展張方式を採用している関係上、横フレーム間の上下方向にテンションバー等の上下方向に張力を付加する手段は全く不要となるものである。
【００５０】
以上、本発明においては、１枚の防煙垂壁パネルにおいて、その防煙用シート部材のサイド展張方式がその最大の特徴部分であり、これにより防煙用シート部材の皺の発生を防止し、その製造の容易化も実現し、尚且つ防煙シート部材の交換をも容易とした極めて著大な効果を発揮する防煙垂壁パネル及びその製造方法を提供することができたものである。
【符号の説明】
【００５１】
１１  縦フレーム
１２  横フレーム
１３  可動枠体
１３ｓ、１４ｓ  螺子
１４  押え部材
１５  防煙用シート部材
【図１】
2013226226.tif 000003
【図２】
2013226226.tif 000004
【図３】
2013226226.tif 000005